(57)【要約】【課題】大型の光源や複数の光源を用いたときの光量のロスを軽減でき、大型化を抑制できる導光部材を提供する。【解決手段】棒状の導光部材１であって、長さ方向に沿って設けられた幅広部１３と、長さ方向に沿って設けられ、長さ方向と直交する断面において幅広部１３から幅方向と直交する方向に突出し、幅広部１３よりも幅が狭い幅狭部１４とを備える。幅広部１３はその側面１３０と幅狭部１４の側面１４０とを接続する段差面１３１を有する。幅広部１３の長さ方向の端面を光源２０から出射された光が入射する入光面１３２とする。幅広部１３から突出した幅狭部１４の突出端面を入光面１３２から入射した光を反射する反射面１４１とする。幅広部１３の幅狭部１４と反対側の面を反射面１４１で反射した光を出射する出光面１３３とする。【選択図】図１
2014110121.tif 000002
【特許請求の範囲】
【請求項１】
棒状の導光部材であって、
長さ方向に沿って設けられた幅広部と、
同じく長さ方向に沿って設けられ、前記幅広部から前記長さ方向と直交する断面において幅方向と直交する方向に突出し、前記幅広部よりも幅が狭い幅狭部とを備え、
前記幅広部はその側面と前記幅狭部の側面とを接続する段差面を有し、
前記幅広部の前記長さ方向の端面を光源から出射された光が入射する入光面とし、前記幅広部から突出した前記幅狭部の突出端面を前記入光面から入射した光を反射する反射面とし、前記幅広部の前記幅狭部と反対側の面を前記反射面で反射した光を出射する出光面としたことを特徴とする導光部材。
【請求項２】
前記幅狭部が前記幅広部の前記幅方向の中間部から突出し、前記幅広部が前記幅方向の両側に前記段差面を有することを特徴とする請求項１に記載の導光部材。
【請求項３】
前記長さ方向と直交する断面において前記幅方向の中心を通り且つ前記幅方向と直交する中心線を想定し、前記中心線を中心にして線対称に形成されたことを特徴とする請求項２に記載の導光部材。
【請求項４】
前記段差面と前記幅広部の側面とでなす隅部に、他部材に取り付け可能な取付部が形成されたことを特徴とする請求項１乃至３のいずれか１項に記載の導光部材。
【発明の詳細な説明】
【技術分野】
【０００１】
本発明は棒状で長さ方向の端面から入射した光を長さ方向に沿う面から出射する導光部材に関する。
【背景技術】
【０００２】
特許文献１には棒状の導光部材を備えた照明装置が開示されている。この照明装置は、光源としての発光ダイオードが導光部材の長さ方向の端面に対向する位置に設けられている。発光ダイオードから発せられた光は導光部材の長さ方向の端面から導光部材に導入されるようになっている。そして、この照明装置は、導光部材に導入された光が導光部材の底面に形成された散乱ドットで反射し、この後、導光部材の上面から出射されるようになっている。
【先行技術文献】
【特許文献】
【０００３】
【特許文献１】特開２００５−１９８１０６号公報
【発明の概要】
【発明が解決しようとする課題】
【０００４】
特許文献１の導光部材のように光源から発せられた光を長さ方向の端面から導入するものは、導光部材の長さ方向から見て光源を導光部材の長さ方向の端面と重複する位置に配置することが好ましい。光源から発せられた光の略全部を導光部材に導入でき、光量のロスを軽減できるからである。
【０００５】
ところが、光源が大型であったり、複数設けられる場合、光源が導光部材の長さ方向から見て導光部材の端面より食み出す可能性がある。また、導光部材の長さ方向と直交する断面のサイズを光源と比例して大きくすれば、前記食み出しを防止できるが、この場合は導光部材の大型化の要因となる。
【０００６】
本発明は前記事情に鑑みてなされたものであって、大型の光源や複数の光源を用いたときの光量のロスを軽減でき、しかも大型化を抑制できる導光部材を提供することを課題とする。
【課題を解決するための手段】
【０００７】
上記課題を解決するために本発明の導光部材は、棒状の導光部材であって、長さ方向に沿って設けられた幅広部と、同じく長さ方向に沿って設けられ、前記長さ方向と直交する断面において前記幅広部から幅方向と直交する方向に突出し、前記幅広部よりも幅が狭い幅狭部とを備え、前記幅広部はその側面と前記幅狭部の側面とを接続する段差面を有し、前記幅広部の前記長さ方向の端面を光源から出射された光が入射する入光面とし、前記幅広部から突出した前記幅狭部の突出端面を前記入光面から入射した光を反射する反射面とし、前記幅広部の前記幅狭部と反対側の面を前記反射面で反射した光を出射する出光面としたことを特徴とする。
【０００８】
また、前記幅狭部が前記幅広部の前記幅方向の中間部から突出し、前記幅広部が前記幅方向の両側に前記段差面を有することが好ましい。
【０００９】
また、前記長さ方向と直交する断面において前記幅方向の中心を通り且つ前記幅方向と直交する中心線を想定し、前記中心線を中心にして線対称に形成されることが好ましい。
【００１０】
また、前記段差面と前記幅広部の側面とでなす隅部に、他部材に取り付け可能な取付部が形成されることが好ましい。
【発明の効果】
【００１１】
本発明にあっては、光源から出射された光を入射させる入光面を、幅狭部よりも幅の広い幅広部の長さ方向の端面で構成することができる。このため、入光面の対向位置に配置される光源が大型であったり、入光面の対向位置に複数の光源が配置される場合に、光源から発せられた光が入光面から入射しやすくなり、光量のロスを抑えることができる。また、幅狭部の幅を幅広部よりも狭くして段差面を形成したことにより、導光部材の小型化を図ることができる。
【図面の簡単な説明】
【００１２】
【図１】本実施形態の一例の導光部材の断面図である。
【図２】同上の導光部材を組み込んだ照明装置の説明図である。
【図３】非対称にした他例の導光部材の断面図である。
【図４】一の段差面を設けた他例の導光部材の断面図である。
【図５】導光部材の長手方向から見た導光部材と光源の位置関係を示す説明図である。
【図６】式１〜３の導出に用いた用語を示す説明図である。
【図７】（ａ）〜（ｃ）は本実施形態の導光部材の断面形状パターンを示す図である。
【図８】式４及び式５の導出に用いた用語を示す説明図である。
【図９】式６及び式７の導出に用いた用語を示す説明図である。
【図１０】同上の導光部材の断面形状の一例を示す断面図である。
【図１１】同上の導光部材の断面形状の他例を示す断面図である。
【図１２】同上の導光部材の断面形状のさらに他例を示す断面図である。
【図１３】両側に取付部を設けた他例の導光部材の断面図である。
【図１４】取付部及び面取部を設けた他例の導光部材の断面図である。
【図１５】（ａ）〜（ｃ）は図１０に示される導光部材の変形例を示す断面図である。
【図１６】図１１に示される導光部材の変形例を示す断面図である。
【発明を実施するための形態】
【００１３】
以下、本発明を添付図面に基づいて説明する。本実施形態の導光部材１は直線棒状であって照明装置等に組み込まれて用いられる。図２には導光部材１を組み込んだ照明装置２が示されている。照明装置２は導光部材１の長さ方向の端面から入射した光を導光部材１の長さ方向に沿う面から出射させるエッジライト型である。照明装置２は、本実施形態の導光部材１に加えて、光源２０及びこれを実装する制御基板２１を具備している。
【００１４】
図２に示される照明装置２は、導光部材１の長さ方向の両側に光源２０が配置されている。各光源２０は導光部材１の長さ方向の端面に対向する位置に配置されている。光源２０としては例えばＬＥＤが用いられる。各光源２０が発光すると、この光は導光部材１の対応する長さ方向の端面（詳しくは後述する入光面１３２）から導光部材１に導入される。続いて、この光は概ね導光部材１の長さ方向の反対側の端面に向かって進行する。そして、この光は前記進行の過程において導光部材１の長さ方向に沿う一面（すなわち、後述する反射面１４１）で拡散反射し、導光部材１の長さ方向に沿う他の一面（すなわち、後述する出光面１３３）から出射される。なお、照明装置２は導光部材１の長さ方向における片側にのみ光源２０が配置されるものであってもよい。また、光源２０は導光部材１の長さ方向における両側又は片側に複数ずつ設けてもよい。
【００１５】
導光部材１は合成樹脂製であって、その材料としては例えばアクリル樹脂やポリカーボネート樹脂等の透明な樹脂が用いられる。なお、導光部材１の材料としては合成樹脂に限られず、その他の材料を用いて形成しても構わない。
【００１６】
導光部材１の断面形状は長さ方向において略一様である。なお、ここで言う略一様とは、完全に同一であることに加えて、例えば光むらを抑制するために反射面１４１や出光面１３３等の形状を微細に変化させるものも含まれる。
【００１７】
図１には導光部材１の長さ方向に直交する断面が示されている。同図に示されるように、導光部材１は幅広部１３と幅狭部１４で構成されている。図示例の幅広部１３は断面矩形状であって幅狭部１４よりも幅が広く断面積が大きい。幅狭部１４は幅広部１３の幅方向の中央部から突出し、その突出方向は導光部材１の厚み方向と平行である。なお、ここで言う厚み方向とは反射面１４１と出光面１３３の対向方向であり、また、導光部材１の長さ方向と直交する断面において幅方向と直交する方向である。
【００１８】
幅広部１３はその側面１３０と幅狭部１４の側面１４０とを接続する段差面１３１を両側に有している。導光部材１の長さ方向の両端面は、幅広部１３の長さ方向の端面と、この面と面一となる幅狭部１４の長さ方向の端面とで構成されている。また、図１に示される導光部材１は、長さ方向と直交する断面において幅方向の中心を通り且つ幅方向と直交する中心線ＣＬを想定したとき、中心線ＣＬを中心に線対称形状に形成されている。なお、導光部材１は図３や図４に示されるように非対称に形成されてもよい。また、図１に示される導光部材１は幅広部１３の両側に段差面１３１を形成したが、図４に示されるように幅広部１３の片側にのみ段差面１３１を形成してもよい。
【００１９】
導光部材１は、図２に示されるように、入光面１３２、出光面１３３、及び反射面１４１を備えている。入光面１３２は、幅広部１３の長さ方向の端面で構成されている。入光面１３２は導光部材１の長さ方向と直交している。導光部材１を照明装置２に組み込んで用いるとき、入光面１３２の幅広部１３に対応する部分が光源２０に対向配置され、同部より光源２０から出射された光が導入される。光源２０は例えば図５に示されるように導光部材１の長さ方向から見て幅広部１３と重複する箇所にのみ配置され、幅広部１３の外縁よりも内側に配置される。なお、光源２０は、導光部材１の長さ方向から見て、幅広部１３及び幅狭部１４と重複する箇所に配置されてもよい。また、図２に示されるように導光部材１の長さ方向の両側に光源２０が配置される場合は幅広部１３の長さ方向の両端面が入光面１３２として用いられる。また、導光部材１の片側にのみ光源２０が配置される場合は幅広部１３の長さ方向の一端面のみが入光面１３２として用いられる。
【００２０】
図１に示されるように幅狭部１４の突出端面は導光部材１の厚み方向と直交しており、この幅狭部１４の突出端面で導光部材１の長さ方向に亘る反射面１４１（光拡散面）が構成されている。反射面１４１は例えば幅狭部１４の突出端面に印刷や蒸着によって反射性の物質を設けたり、微細な凹凸を設けたり、二色成形によって反射部分を設けたりすることによって形成される。
【００２１】
幅広部１３の幅狭部１４と反対側の面は反射面１４１に対向しており、同面で導光部材１の長さ方向に亘る出光面１３３が構成されている。出光面１３３は導光部材１の厚み方向に対して直交している。反射面１４１で反射した光は出光面１３３に至り、この出光面１３３の全体から帯状の光として出射される。
【００２２】
図１に示されるように幅狭部１４はその幅が幅広部１３側に行く程大きくなっている。幅狭部１４の幅方向の両側面１４０は、反射面１４１で反射した後、幅狭部１４の両側面に至った光が、概ね出光面１３３側に向かって全反射するように湾曲しており、両側面１４０を合わせて断面略放物線状の曲面を成すようになっている。
【００２３】
ところで、導光部材１は、出光面１３３から出射される光の量が減少することを抑制するため、長さ方向と直交する断面形状が以下の式１〜３を満たす形状であることが好ましい。
【００２４】
λ＜φｉｊ≦π／２・・・（式１）
０≦ψｉｊ＜λ・・・（式２）
０≦ξｊｋ＜λ・・・（式３）
ここで、図６に示されるように、反射面１４１の幅をＡ、幅狭部１４の幅広部１３側の端部の幅をＢ１、出光面１３３において反射面１４１の幅方向の中心より図中左側に位置する部分の幅をＢ２、図中右側に位置する部分の幅をＢ３とする。また、反射面１４１から幅広部１３までの長さをＨ１、反射面１４１から出光面１３３までの長さをＨ２とする。また、幅狭部１４の側面１４０の各点における厚み方向に対する傾斜角をθｉとする。また、反射面１４１の幅方向の中心を座標原点Ｏにした場合において、幅狭部１４の側面１４０の各点の幅方向における位置座標をｘｉ（但し、−Ｂ１／２≦ｘｉ＜−Ａ／２、Ａ／２＜ｘｉ≦Ｂ１／２）、厚み方向における位置座標をｙｉ（但し、０＜ｙｉ≦Ｈ１）とする。また、同じく反射面１４１の幅方向の中心を座標原点Ｏにした場合における、反射面１４１の各点の幅方向における位置座標をｐｊ（但し、−Ａ／２≦ｐｊ≦Ａ／２）とする。また、反射面１４１の位置座標ｐｊとなる点で反射した光の幅狭部１４の側面１４０の点（ｘｉ,ｙｉ）に対する入射角をφｉｊとする。また、反射面１４１の位置座標ｐｊとなる点で反射した後、幅狭部１４の側面１４０の点（ｘｉ,ｙｉ）で反射し、この後、出光面１３３に至る光の出光面１３３に対する入射角をψｉｊとする。また、反射面１４１の幅方向の中心を座標原点Ｏにした場合に、出光面１３３において反射面１４１の位置座標ｐｊとなる点で反射した光が直接至る点の幅方向における位置座標をｑｋ（但し、−Ｂ２≦ｑｋ≦Ｂ３）とする。また、反射面１４１の位置座標ｐｊとなる点で反射した後、出光面１３３に直接至る光の出光面１３３に対する入射角をξｊｋとする。また、導光部材１の全反射角をλとする。また、導光部材１の屈折率をｎとする。ここで、λ＝ｓｉｎ−１（１／ｎ）（※空気中）、θｉ＝−ｔａｎ−１{ｙｉ／（ｘｉ＋ｐｊ）}＋φｉｊ、ψｉｊ＝π／２−φｉｊ−θｉ、θｉ＝１／２［π／２−ψｉｊ−ｔａｎ−１{ｙｉ／（ｘｉ＋ｐｊ）}］、ξｊｋ＝ｔａｎ−１{（ｑｋ−ｐｊ）／Ｈ２}である。
【００２５】
式１を満たすことで、反射面１４１の各点で反射して幅狭部１４の各側面１４０に至った光は、当該側面１４０において全反射する。これにより反射面１４１の各点で反射した光が幅狭部１４の各側面１４０から漏れ出すことを抑制できる。また、式２を満たすことで、反射面１４１の各点で反射した後、幅狭部１４の側面１４０の各点で反射し、この後、出光面１３３に至った光は、出光面１３３において反射せず、出光面１３３から出射するようになる。また、式３を満たすことで、反射面１４１の各点で反射した後、出光面１３３に直接至った光は、出光面１３３において反射せず、出光面１３３から出射するようになる。
【００２６】
さらに前述の計算式を満たす形状を考える場合、導光部材１内の光線挙動によって以下の形状パターンに区分される。図７（ａ）に示される第一の形状パターンは、ｔａｎ−１｛（Ａ／２＋Ｂ１／２）／Ｈ１｝≦λ、（Ａ／２＋Ｂ１／２）／Ｈ１＜（Ａ／２＋Ｂ２／２）／Ｈ２の場合である。図７（ｂ）に示される第二の形状パターンは、ｔａｎ−１｛（Ａ／２＋Ｂ１／２）／Ｈ１｝≦λ、（Ａ／２＋Ｂ１／２）／Ｈ１≧（Ａ／２＋Ｂ３／２）／Ｈ２の場合である。図７（ｃ）に示される第三の形状パターンは、ｔａｎ−１｛（Ａ／２＋Ｂ１／２）／Ｈ１｝＞λ、ｔａｎ−１｛（Ａ／２＋Ｂ３／２）／Ｈ２｝≦λの場合である。
【００２７】
導光部材１が第一〜第三の形状パターンであるとき、式１に加えて以下の式４及び式５を満たす形状であることが好ましい。
【００２８】
λ＜ζｉｊｌ≦π／２・・・（式４）
０≦ηｉｊｋｌ＜λ・・・（式５）
ここで、図８に示されるように、反射面１４１の幅方向の中心を座標原点Ｏにした場合において、幅広部１３の各側面１３０の各点の幅方向における位置座標をｘ′ｌ｛但し、Ｂ１／２≦Ｘ′ｌ≦Ｂ３｝、厚み方向における位置座標をｙ′ｌ｛但し、Ｈ１≦ｙ′ｌ≦Ｈ２｝とする。また、反射面１４１の点ｐｊで反射した後、幅狭部１４の側面１４０の点（ｘｉ,ｙｉ）で反射し、この後、幅広部１３の側面１３０に至る光の側面１３０に対する入射角をζｉｊｌとする。また、反射面１４１の位置座標ｐｊとなる点で反射した後、幅狭部１４の側面１４０の点（ｘｉ,ｙｉ）で反射し、この後、幅広部１３の側面１３０の点（ｘｌ,ｙｌ）で反射し、この後、出光面１３３に至る光の出光面１３３に対する入射角をηｉｊｋｌとする。ここで、ζｉｊｌ＝ｔａｎ−１｛（ｙ′ｌ−ｙｉ）／（ｘ′ｌ−ｘｉ）、ηｉｊｋｌ＝π／２−ζｉｊｌである。
【００２９】
式４を満たすことで、反射面１４１の各点で反射した後、幅狭部１４の各側面１４０の各点で反射し、この後、幅広部１３の各側面１３０に至った光は、幅広部１３の各側面１３０において全反射する。これにより反射面１４１の各点で反射した後、幅狭部１４の各側面１４０の各点で反射した光が幅広部１３の各側面１３０から漏れ出すことを抑制できる。また、式５を満たすことで、反射面１４１の各点で反射した後、幅狭部１４の各側面１４０の各点で反射し、この後、幅広部１３の各側面１３０で反射して出光面１３３に至った光は、出光面１３３において反射せず、出光面１３３から出射するようになる。
【００３０】
また、導光部材１が第二の形状パターン及び第三の形状パターンであるとき、以下の式６、式７を満たす形状であることが好ましい。
【００３１】
λ＜εｊｌ≦π／２・・・（式６）
０≦ωｊｋｌ＜λ・・・（式７）
ここで、図９に示されるように、反射面１４１の位置座標ｐｊとなる点で反射し、幅広部１３の側面１３０に至る光の側面１３０に対する入射角をεｊｌとする。また、反射面１４１の位置座標ｐｊとなる点で反射した後、幅広部１３の側面１３０の点（ｘ′ｉ、ｙ′ｉ）で反射し、この後、出光面１３３に至る光の出光面１３３に対する入射角をωｊｋｌとする。ここで、εｊｌ＝ｔａｎ−１{ｙ′ｌ／（ｘ′ｌ−ｐｊ）}、ωｊｋｌ＝π／２−εｊｌである。
【００３２】
式６を満たすことで、反射面１４１の各点で反射した後、幅広部１３の各側面１３０に至った光は、側面１３０において全反射する。これにより、反射面１４１の各点で反射した光が幅広部１３の各側面１３０から漏れ出すことを抑制できる。また、式７を満たすことで、反射面１４１の各点で反射した後、幅広部１３の各側面１３０で反射し、この後、出光面１３３に至った光は、出光面１３３において反射せず、出光面１３３から出射するようになる。
【００３３】
図１０には式１〜３、６、７を満たす断面形状を有する導光部材１が示されている。この導光部材１の形状設計にあっては、導光部材１の断面形状を左右対称とし、幅狭部１４の側面１４０が以下の式８の関数によって特定される曲線となるように設定されている。
【００３４】
ｙ（ｘ）＝１．０６ｘ４−４．２３ｘ３＋７．１ｘ２−３．９ｘ＋０．６４・・・（式８）
すなわち、図１０では幅狭部１４の側面１４０を式８において変数ｘ値毎に得られるｘｙ座標点を連続的にプロットした曲線にしている。ここで、ｘ、ｙは反射面１４１の幅方向の中心を座標原点Ｏにしたときの側面１４０における位置座標である。また、０．５≦ｘ≦１．７、導光部材材質屈折率ｎ：１．４９（空気屈折率＝１）である。また、反射面１４１の幅（Ａ）、反射面１４１から幅広部１３までの長さ（Ｈ１）、幅狭部１４から出光面１３３までの長さ（Ｈ２−Ｈ１）、幅広部１３の幅（Ｂ２＋Ｂ３）は、夫々１、２．６、１１、１１である。図１０に示される光線解析結果より、反射面１４１で反射した光のうち、直接出光面１３３に至った光、及び幅広部１３の側面１３０で反射した後に出光面１３３に至った光が全て出射されていることがわかる。
【００３５】
図１１には式１〜３を満たす断面形状を有する導光部材１が示されている。この導光部材１の形状設計にあっては、導光部材１の断面形状を左右対称とし、幅狭部１４の側面１４０が式８の関数によって特定される曲線となるように設定されている。ここで、反射面１４１の幅（Ａ）、反射面１４１から幅広部１３までの長さ（Ｈ１）、幅狭部１４から出光面１３３までの長さ（Ｈ２−Ｈ１）、幅広部１３の幅（Ｂ２＋Ｂ３）は、１、２．６、５、１２である。図１１に示される光線解析結果より、反射面１４１で反射した光が幅広部１３の側面１３０に当たることなく出光面１３３から出射されていることがわかる。
【００３６】
図１２には、式１〜５を満たす断面形状を有する導光部材１が示されている。この導光部材１の形状設計にあっては、導光部材１の断面形状を左右対称とし、幅狭部１４の側面１４０が式９の関数によって特定される曲線となるように設定されている。
【００３７】
ｙ（ｘ）＝−３．２３ｘ４＋１３．９ｘ３−１２．２ｘ２＋５．０６ｘ−０．７７・・・（式９）
ここで、ｘ、ｙは反射面１４１の幅方向の中心を座標原点Ｏにしたときの側面１４０における位置座標である。また、０．３≦ｘ≦１．１、導光部材材質屈折率ｎ：１．４９（空気屈折率＝１）である。また、反射面１４１の幅（Ａ）、反射面１４１から幅広部１３までの長さ（Ｈ１）、幅狭部１４から出光面１３３までの長さ（Ｈ２−Ｈ１）、幅広部１３の幅（Ｂ２＋Ｂ３）は、夫々０．６、３．８、３、４．５である。図１２に示される光線解析結果より、反射面１４１で反射した光は幅広部１３の側面１３０には直接至らず、幅狭部１４の側面で反射した後、幅広部１３の側面１３０に至ることがわかる。
【００３８】
以上説明した本実施形態の導光部材１は棒状であって、長さ方向に沿って設けられた幅広部１３と、同じく長さ方向に沿って設けられた幅狭部１４とを備えている。幅狭部１４は幅広部１３から長さ方向と直交する断面において幅方向と直交する方向に突出し、幅広部１３よりも幅が狭い。幅広部１３はその側面１３０と幅狭部１４の側面とを接続する段差面１３１を有している。幅広部１３の長さ方向の端面を光源２０から出射された光が入射する入光面１３２としている。幅広部１３から突出した幅狭部１４の突出端面を入光面１３２から入射した光を反射する反射面としている。幅広部１３の幅狭部１４と反対側の面を反射面１４１で反射した光を出射する出光面１３３としている。このようにすることで、光源２０から出射された光を入射させる入光面１３２を、幅狭部１４よりも幅の広い幅広部１３の長さ方向の端面で構成することができる。このため、入光面１３２の対向位置に配置される光源２０が大型であったり、入光面１３２の対向位置に複数の光源２０が配置される場合にも、光源２０から発せられた光は入光面１３２から入射しやすくなり、光量のロスを抑えることができる。また、光源２０が対向配置されない幅狭部１４の幅を幅広部１３よりも狭くしたことで、導光部材１の小型化を図ることができる。
【００３９】
また、図１や図３等に示される導光部材１は、幅狭部１４が幅広部１３の幅方向の中間部から突出し、幅広部１３が幅方向の両側に段差面１３１を有している。このため、幅狭部１４の反射面１４１で拡散して反射した光が幅広部１３の側面１３０に至り難くなり、幅広部１３の側面１３０から光が漏れ出し難くなる。
【００４０】
また、図１に示される導光部材１は、長さ方向と直交する断面において幅方向の中心を通り且つ幅方向と直交する中心線ＣＬを想定し、中心線ＣＬを中心にして線対称に形成されている。このため、幅狭部１４の反射面１４１で拡散して反射した光を幅広部１３の出光面１３３にバランス良く至らせ、幅広部１３の出光面１３３の広い範囲から光を出射することが可能となり、また、導光部材１の更なる小型化も可能になる。
【００４１】
また、本実施形態の導光部材１は、図１３や図１４に示されるように導光部材１の段差面１３１と幅広部１３の側面１４０とでなす隅部１６に、他部材に取り付け可能な取付部１５を形成してもよい。図１３の例では、取付部１５として、幅広部１３の両側の隅部１６に、他部材に嵌合可能な爪部１５０が形成されている。各爪部１５０は幅広部１３の隅部１６から幅狭部１４の突出方向と同一方向に突出している。図１４の例では、取付部１５として、幅広部１３の幅方向の片側の隅部１６に他部材に嵌合可能な爪部１５１が形成されている。爪部１５１は幅広部１３の隅部１６から幅方向外側に向けて突出している。
【００４２】
また、図１５（ａ）及び図１５（ｂ）では、図１０に示される導光部材１の隅部１６に取付部１５を形成した例である。図１５（ａ）に示される取付部１５は、幅広部１３の段差面１３１から突出した爪部１５３である。また、図１５（ｂ）に示される取付部１５は、幅広部１３の側面１３０から突出したフランジ部１５２である。このフランジ部１５２は、幅広部１３の側面１３０において反射面１４１で反射した光が、直接又は幅狭部１４の側面１４０で反射した後に至る領域以外の領域（図１０において寸法線４で示された領域）に形成されている。
【００４３】
上記のように導光部材１の段差面１３１と幅広部１３の側面１４０とでなす隅部１６に取付部１５を形成することで、取付部１５を他部材に嵌合して導光部材１を他部材に取り付けることができる。このため、導光部材１を照明装置等に組み込んで用いるときに容易に固定することができる。また、取付部１５が形成された隅部１６には反射面１４１で反射した光が到達し難く、このため反射面１４１で反射した光は隅部１６から漏れ出し難い。つまり、光量のロスが生じることを抑制しながら、取付部１５を形成することができる。図１５（ａ）及び図１５（ｂ）に示される光線解析結果より、反射面１４１で反射した光が取付部１５に到達せず、出光面１３３から出射されていることがわかる。
【００４４】
また、導光部材１の隅部１６は、図１４や図１５（ｃ）に示されるように面取り状に形成してもよい。図１４の例では、爪部１５１の反対側の隅部１６が断面円弧状（Ｒ面取り状）の面取部１６０とされている。また、図１５（ｃ）の例は、図１０に示される導光部材１の両側の隅部１６を断面円弧状（Ｒ面取り状）の面取部１６１としている。各面取部１６１は、段差面１３１全体に亘って形成されており、幅広部１３の側面１３０において反射面１４１で反射した光が、直接又は幅狭部１４の側面１４０で反射した後に至る領域以外の領域に形成されている。図１５（ｃ）に示される光線解析結果より、反射面１４１で反射した光が面取部１６０に到達せずに出光面１３３から出射されていることがわかる。また、このように導光部材１の隅部１６を面取り状にすることで、導光部材１をさらに小型化できる。
【００４５】
また、図１６に示されるように出光面１３３と幅広部１３の側面１４０とでなす隅部１７に取付部１５を形成してもよい。この例は、図１１に示される導光部材１の両側の隅部１７に取付部１５が形成されている。各取付部１５は幅広部１３の側面から突出して先端側を幅狭部１４の突出方向に屈曲した爪部１５４である。図１６に示される光線解析結果より、反射面１４１で反射した光が爪部１５４に至ることなく出光面１３３から出射されていることがわかる。
【００４６】
なお、本発明は前記実施形態にのみ限定されるものではなく、要旨を逸脱しない範囲で適宜変更して実施し得る。
【符号の説明】
【００４７】
ＣＬ  中心線
１  導光部材
１３  幅広部
１４  幅狭部
１５  取付部
２０  光源
１３０  幅広部の側面
１３１  段差面
１３２  入光面
１３３  出光面
１４０  幅狭部の側面
１４１  反射面
【図１】
2014110121.tif 000003
【図２】
2014110121.tif 000004
【図３】
2014110121.tif 000005
【図４】
2014110121.tif 000006
【図５】
2014110121.tif 000007
【図６】
2014110121.tif 000008
【図７】
2014110121.tif 000009
【図８】
2014110121.tif 000010
【図９】
2014110121.tif 000011
【図１０】
2014110121.tif 000012
【図１１】
2014110121.tif 000013
【図１２】
2014110121.tif 000014
【図１３】
2014110121.tif 000015
【図１４】
2014110121.tif 000016
【図１５】
2014110121.tif 000017
【図１６】
2014110121.tif 000018